(57)【要約】      （修正有）【課題】直観的に頭蓋骨と顔を照合することが可能な画像処理装置とその作動方法および作動プログラム、並びに画像処理システムを提供する。【解決手段】表示制御部は、頭蓋骨と顔の解剖学的知見に基づく照合に用いる照合指標であって、頭蓋骨上にある第１照合指標を示す第１図形、および顔上にある第２照合指標を示す第２図形を重ね合わせ画像１９上に表示する。第１図形は、左右眼窩の高さの下１／３の位置を示す線５６Ｌ、５６Ｒ、左右眼窩の最上点を通る線６５Ｌ、６５Ｒ、両眼窩の幅の３／４の長さを示す線６７Ｌ、６７Ｒ、６８Ｌ、６８Ｒである。第２図形は、両目尻の点７０Ｌ、７０Ｒ、左目尻と左目頭の距離および右目尻と右目頭の距離を示す線７５Ｌ、７５Ｒ、７６Ｌ、７６Ｒ、左右眉の外接矩形領域の中心を通る線７７Ｌ、７７Ｒである。【選択図】図１２
2017068560.tif 000002
【特許請求の範囲】
【請求項１】
頭蓋骨画像と顔画像の入力を受け付ける画像受付部と、
頭蓋骨と顔の解剖学的知見に基づく照合に用いる照合指標であって、前記頭蓋骨上にある第１照合指標と前記顔上にある第２照合指標の２つの照合指標のうちの少なくともいずれかを演算により抽出する抽出部と、
前記頭蓋骨画像と前記顔画像の重ね合わせ画像の表示を制御する表示制御部であり、前記第１照合指標を示す第１図形および前記第２照合指標を示す第２図形を前記重ね合わせ画像上に表示する表示制御部とを備える画像処理装置。
【請求項２】
前記抽出部は、前記第１照合指標の抽出に必要な前記頭蓋骨上の点または領域である第１必要項目の入力に基づいて、前記第１照合指標を抽出する請求項１に記載の画像処理装置。
【請求項３】
前記第１照合指標は複数あり、
前記第１必要項目は、複数の前記第１照合指標の各々に対して設定されている請求項２に記載の画像処理装置。
【請求項４】
前記第１必要項目の手動入力による指定を受け付ける第１指定受付部を備える請求項２または３に記載の画像処理装置。
【請求項５】
請求項３を引用する請求項４に記載の画像処理装置において、
前記抽出部は、前記第１必要項目が前記第１指定受付部で受け付けられた場合に、複数の前記第１照合指標の各々について、設定された前記第１必要項目が揃ったか否かを判断し、複数の前記第１照合指標のうち、設定された前記第１必要項目が揃った前記第１照合指標から順に抽出し、
前記表示制御部は、前記第１照合指標が抽出された段階で前記第１図形を表示する画像処理装置。
【請求項６】
前記表示制御部は、前記第１必要項目に相当する前記頭蓋骨上の点、前記第１必要項目に相当する前記頭蓋骨上の点を通る線、または前記第１必要項目に相当する前記頭蓋骨上の領域のうちの少なくともいずれかを前記重ね合わせ画像上に表示する請求項２ないし５のいずれか１項に記載の画像処理装置。
【請求項７】
前記第１必要項目は、前記頭蓋骨の両眼窩の最上点、最下点、最右点、最左点を含む請求項２ないし６のいずれか１項に記載の画像処理装置。
【請求項８】
前記抽出部は、前記第２照合指標の抽出に必要な前記顔上の点または領域である第２必要項目の入力に基づいて、前記第２照合指標を抽出する請求項１ないし７のいずれか１項に記載の画像処理装置。
【請求項９】
前記第２照合指標は複数あり、
前記第２必要項目は、複数の前記第２照合指標の各々に対して設定されている請求項８に記載の画像処理装置。
【請求項１０】
前記第２必要項目の手動入力による指定を受け付ける第２指定受付部を備える請求項８または９に記載の画像処理装置。
【請求項１１】
請求項９を引用する請求項１０に記載の画像処理装置において、
前記抽出部は、前記第２必要項目が前記第２指定受付部で受け付けられた場合に、複数の前記第２照合指標の各々について、設定された前記第２必要項目が揃ったか否かを判断し、複数の前記第２照合指標のうち、設定された前記第２必要項目が揃った前記第２照合指標から順に抽出し、
前記表示制御部は、前記第２照合指標が抽出された段階で前記第２図形を表示する画像処理装置。
【請求項１２】
前記表示制御部は、前記第２必要項目に相当する前記顔上の点、前記第２必要項目に相当する前記顔上の点を通る線、または前記第２必要項目に相当する前記顔上の領域のうちの少なくともいずれかを前記重ね合わせ画像上に表示する請求項８ないし１１のいずれか１項に記載の画像処理装置。
【請求項１３】
前記第２必要項目は、前記顔の両目の目尻の点、前記顔の両目の目頭の点、前記顔の両眉の外接矩形領域を含む請求項８ないし１２のいずれか１項に記載の画像処理装置。
【請求項１４】
前記第１図形は、前記第１照合指標を示す点、または前記第１照合指標を示す線のうちの少なくともいずれかであり、
前記第２図形は、前記第２照合指標を示す点、または前記第２照合指標を示す線のうちの少なくともいずれかである請求項１ないし１３のいずれか１項に記載の画像処理装置。
【請求項１５】
前記第１照合指標および前記第２照合指標に基づいて、前記頭蓋骨と前記顔の一致度合いを定量的に示す一致度を算出する算出部を備え、
前記表示制御部は、前記一致度を表示する請求項１ないし１４のいずれか１項に記載の画像処理装置。
【請求項１６】
前記一致度は複数あり、
複数の前記一致度には、算出に必要な前記第１照合指標および前記第２照合指標が各々設定されており、
前記算出部は、前記第１照合指標または前記第２照合指標のうちの少なくともいずれかが前記抽出部で抽出された場合に、複数の前記一致度の各々について、設定された前記第１照合指標および前記第２照合指標が揃ったか否かを判断し、複数の前記一致度のうち、設定された前記第１照合指標および前記第２照合指標が揃った前記一致度から順に算出し、
前記表示制御部は、前記一致度が算出された段階でこれを表示する請求項１５に記載の画像処理装置。
【請求項１７】
頭蓋骨画像と顔画像の入力を受け付ける画像受付ステップと、
前記頭蓋骨と前記顔の解剖学的知見に基づく照合に用いる照合指標であって、前記頭蓋骨上にある第１照合指標と前記顔上にある第２照合指標の２つの照合指標のうちの少なくともいずれかを演算により抽出する抽出ステップと、
前記頭蓋骨画像と前記顔画像の重ね合わせ画像の表示を制御する表示制御ステップであり、前記第１照合指標を示す第１図形および前記第２照合指標を示す第２図形を前記重ね合わせ画像上に表示する表示制御ステップとを備える画像処理装置の作動方法。
【請求項１８】
頭蓋骨画像と顔画像の入力を受け付ける画像受付機能と、
前記頭蓋骨と前記顔の解剖学的知見に基づく照合に用いる照合指標であって、前記頭蓋骨上にある第１照合指標と前記顔上にある第２照合指標の２つの照合指標のうちの少なくともいずれかを演算により抽出する抽出機能と、
前記頭蓋骨画像と前記顔画像の重ね合わせ画像の表示を制御する表示制御機能であり、前記第１照合指標を示す第１図形および前記第２照合指標を示す第２図形を前記重ね合わせ画像上に表示する表示制御機能とを、コンピュータに実行させる画像処理装置の作動プログラム。
【請求項１９】
画像処理装置と、前記画像処理装置にネットワークを介して接続されたクライアント端末とで構成される画像処理システムにおいて、
頭蓋骨画像と顔画像の入力を受け付ける画像受付部と、
前記頭蓋骨と前記顔の解剖学的知見に基づく照合に用いる照合指標であって、前記頭蓋骨上にある第１照合指標と前記顔上にある第２照合指標の２つの照合指標のうちの少なくともいずれかを演算により抽出する抽出部と、
前記頭蓋骨画像と前記顔画像の重ね合わせ画像の表示を制御する表示制御部であり、前記第１照合指標を示す第１図形および前記第２照合指標を示す第２図形を前記重ね合わせ画像上に表示する表示制御部とを備える画像処理システム。
【発明の詳細な説明】
【技術分野】
【０００１】
本発明は、画像処理装置とその作動方法および作動プログラム、並びに画像処理システムに関するものである。
【背景技術】
【０００２】
法医学分野において、スーパーインポーズ法と呼ばれる画像処理が行われている。スーパーインポーズ法は、身元不明の人物の頭蓋骨の画像（以下、頭蓋骨画像）と行方不明者の免許証等の写真の顔の画像（以下、顔画像）とを重ね合わせて、頭蓋骨と顔の解剖学的知見に基づく照合を行い、身元不明の人物と行方不明者が同一人物であるか否かを判定する方法である。
【０００３】
特許文献１には、三次元の頭蓋骨画像を用いた画像処理装置（特許文献１では頭蓋骨スーパーインポーズ装置と表記）が記載されている。特許文献１に記載の画像処理装置では、頭蓋骨画像の頭蓋骨に対して拡縮、移動、回転といった各種位置合わせ処理を施し、頭蓋骨画像の頭蓋骨と顔画像の顔の大きさや向きを一致させたうえで両画像を重ね合わせている。そして、目、鼻等のユーザーによる部位の指定を受け付け、指定された部位の一致度合いを定量的に示す一致度を算出し、算出した一致度をユーザーに提示している。ユーザーは、頭蓋骨画像と顔画像の重ね合わせ画像の目視による頭蓋骨と顔の照合に加えて、提示された一致度も参照しつつ身元不明の人物と行方不明者が同一人物であるか否かの判定を行う。
【０００４】
特許文献１では、一致度を算出する際に解剖学的知見が利用されている。例えば頭蓋骨の眼窩に対する顔の目尻の位置に関する一致度は、頭蓋骨画像の人物と顔画像の人物が同一人物である場合、眼窩の高さの下３／１０の位置と目尻の位置とが一致する、という解剖学的知見に基づき算出されている。
【先行技術文献】
【特許文献】
【０００５】
【特許文献１】特開２００２−３６９８１２号公報
【発明の概要】
【発明が解決しようとする課題】
【０００６】
解剖学的知見で表される頭蓋骨上の点や顔上の点等は、頭蓋骨画像と顔画像の重ね合わせ画像の目視により頭蓋骨と顔を照合する場合になくてはならない重要な指標（以下、照合指標）である。例えば上記の解剖学的知見「眼窩の高さの下３／１０の位置と目尻の位置とが一致する」では、「眼窩の高さの下３／１０の位置」と「目尻の位置」が照合指標である。
【０００７】
しかしながら、特許文献１では、解剖学的知見を利用して算出した結果である一致度しかユーザーに提示していない。このためユーザーは、頭蓋骨上にある照合指標と顔上にある照合指標を自らの頭の中に思い浮かべながら、頭蓋骨と顔の照合をしなければならず、直観的に頭蓋骨と顔を照合することができなかった。
【０００８】
本発明は、直観的に頭蓋骨と顔を照合することが可能な画像処理装置とその作動方法および作動プログラム、並びに画像処理システムを提供することを目的とする。
【課題を解決するための手段】
【０００９】
上記課題を解決するために、本発明の画像処理装置は、頭蓋骨画像と顔画像の入力を受け付ける画像受付部と、頭蓋骨と顔の解剖学的知見に基づく照合に用いる照合指標であって、頭蓋骨上にある第１照合指標と顔上にある第２照合指標の２つの照合指標のうちの少なくともいずれかを演算により抽出する抽出部と、頭蓋骨画像と顔画像の重ね合わせ画像の表示を制御する表示制御部であり、第１照合指標を示す第１図形および第２照合指標を示す第２図形を重ね合わせ画像上に表示する表示制御部とを備える。
【００１０】
抽出部は、第１照合指標の抽出に必要な頭蓋骨上の点または領域である第１必要項目の入力に基づいて、第１照合指標を抽出することが好ましい。この場合、第１照合指標は複数あり、第１必要項目は、複数の第１照合指標の各々に対して設定されていることが好ましい。また、第１必要項目の手動入力による指定を受け付ける第１指定受付部を備えることが好ましい。
【００１１】
第１必要項目が複数の第１照合指標の各々に対して設定されており、第１必要項目が第１指定受付部で受け付けられた場合に、抽出部は、第１必要項目が第１指定受付部で受け付けられた場合に、複数の第１照合指標の各々について、設定された第１必要項目が揃ったか否かを判断し、複数の第１照合指標のうち、設定された第１必要項目が揃った第１照合指標から順に抽出し、表示制御部は、第１照合指標が抽出された段階で第１図形を表示することが好ましい。
【００１２】
表示制御部は、第１必要項目に相当する頭蓋骨上の点、第１必要項目に相当する頭蓋骨上の点を通る線、または第１必要項目に相当する頭蓋骨上の領域のうちの少なくともいずれかを重ね合わせ画像上に表示することが好ましい。
【００１３】
第１必要項目は、頭蓋骨の両眼窩の最上点、最下点、最右点、最左点を含むことが好ましい。
【００１４】
抽出部は、第２照合指標の抽出に必要な顔上の点または領域である第２必要項目の入力に基づいて、第２照合指標を抽出することが好ましい。この場合、第２照合指標は複数あり、第２必要項目は、複数の第２照合指標の各々に対して設定されていることが好ましい。また、第２必要項目の手動入力による指定を受け付ける第２指定受付部を備えることが好ましい。
【００１５】
第２必要項目が複数の第２照合指標の各々に対して設定されており、第２必要項目が第２指定受付部で受け付けられた場合に、抽出部は、複数の第２照合指標の各々について、設定された第２必要項目が揃ったか否かを判断し、複数の第２照合指標のうち、設定された第２必要項目が揃った第２照合指標から順に抽出し、表示制御部は、第２照合指標が抽出された段階で第２図形を表示することが好ましい。
【００１６】
表示制御部は、第２必要項目に相当する顔上の点、第２必要項目に相当する顔上の点を通る線、または第２必要項目に相当する顔上の領域のうちの少なくともいずれかを重ね合わせ画像上に表示することが好ましい。
【００１７】
第２必要項目は、顔の両目の目尻の点、顔の両目の目頭の点、顔の両眉の外接矩形領域を含むことが好ましい。
【００１８】
第１図形は、第１照合指標を示す点、または第１照合指標を示す線のうちの少なくともいずれかであり、第２図形は、第２照合指標を示す点、または第２照合指標を示す線のうちの少なくともいずれかであることが好ましい。
【００１９】
第１照合指標および第２照合指標に基づいて、頭蓋骨と顔の一致度合いを定量的に示す一致度を算出する算出部を備え、表示制御部は、一致度を表示することが好ましい。
【００２０】
一致度は複数あり、複数の一致度には、算出に必要な第１照合指標および第２照合指標が各々設定されており、算出部は、第１照合指標または第２照合指標のうちの少なくともいずれかが抽出部で抽出された場合に、複数の一致度の各々について、設定された第１照合指標および第２照合指標が揃ったか否かを判断し、複数の一致度のうち、設定された第１照合指標および第２照合指標が揃った一致度から順に算出し、表示制御部は、一致度が算出された段階でこれを表示することが好ましい。
【００２１】
本発明の画像処理装置の作動方法は、頭蓋骨画像と顔画像の入力を受け付ける画像受付ステップと、頭蓋骨と顔の解剖学的知見に基づく照合に用いる照合指標であって、頭蓋骨上にある第１照合指標と顔上にある第２照合指標の２つの照合指標のうちの少なくともいずれかを演算により抽出する抽出ステップと、頭蓋骨画像と顔画像の重ね合わせ画像の表示を制御する表示制御ステップであり、第１照合指標を示す第１図形および第２照合指標を示す第２図形を重ね合わせ画像上に表示する表示制御ステップとを備える。
【００２２】
本発明の画像処理装置の作動プログラムは、頭蓋骨画像と顔画像の入力を受け付ける画像受付機能と、頭蓋骨と顔の解剖学的知見に基づく照合に用いる照合指標であって、頭蓋骨上にある第１照合指標と顔上にある第２照合指標の２つの照合指標のうちの少なくともいずれかを演算により抽出する抽出機能と、頭蓋骨画像と顔画像の重ね合わせ画像の表示を制御する表示制御機能であり、第１照合指標を示す第１図形および第２照合指標を示す第２図形を重ね合わせ画像上に表示する表示制御機能とを、コンピュータに実行させる。
【００２３】
本発明の画像処理システムは、画像処理装置と、画像処理装置にネットワークを介して接続されたクライアント端末とで構成される画像処理システムにおいて、頭蓋骨画像と顔画像の入力を受け付ける画像受付部と、頭蓋骨と顔の解剖学的知見に基づく照合に用いる照合指標であって、頭蓋骨上にある第１照合指標と顔上にある第２照合指標の２つの照合指標のうちの少なくともいずれかを演算により抽出する抽出部と、頭蓋骨画像と顔画像の重ね合わせ画像の表示を制御する表示制御部であり、第１照合指標を示す第１図形および第２照合指標を示す第２図形を重ね合わせ画像上に表示する表示制御部とを備える。
【発明の効果】
【００２４】
本発明によれば、頭蓋骨と顔の解剖学的知見に基づく照合に用いる照合指標であって、頭蓋骨上にある第１照合指標と顔上にある第２照合指標の２つの照合指標のうちの少なくともいずれかを演算により抽出し、第１照合指標を示す第１図形および第２照合指標を示す第２図形を頭蓋骨画像と顔画像の重ね合わせ画像上に表示するので、直観的に頭蓋骨と顔を照合することが可能な画像処理装置とその作動方法および作動プログラム、並びに画像処理システムを提供することができる。
【図面の簡単な説明】
【００２５】
【図１】画像処理システムを示す図である。
【図２】クライアント端末から画像処理サーバに送信される処理要求を示す図であり、（Ａ）は重ね合わせ画像表示要求、（Ｂ）は第１図形表示要求、（Ｃ）は第２図形表示要求をそれぞれ示す。
【図３】画像処理サーバ、およびクライアント端末を構成するコンピュータを示すブロック図である。
【図４】画像処理サーバのＣＰＵの各機能部を示すブロック図である。
【図５】第１照合指標・第１必要項目テーブルの内容を示す図である。
【図６】第１必要項目で表される点を描画した頭蓋骨画像を示す図である。
【図７】第１必要項目で表される点、および第１照合指標で表される高さ、位置、幅、長さを描画した頭蓋骨画像の眼窩付近の拡大図である。
【図８】第２照合指標・第２必要項目テーブルの内容を示す図である。
【図９】第２必要項目で表される点、領域を描画した顔画像を示す図である。
【図１０】第２必要項目で表される点、領域、および第２照合指標で表される点、距離、領域、中心を描画した顔画像の目付近の拡大図である。
【図１１】第１必要項目に相当する頭蓋骨上の点を通る線、第２必要項目に相当する顔上の点、並びに第２必要項目に相当する顔上の領域を表示した重ね合わせ画像を示す図である。
【図１２】第１図形として第１照合指標を示す線、第２図形として第２照合指標を示す点並びに第２照合指標を示す線を表示した重ね合わせ画像を示す図である。
【図１３】頭蓋骨と顔の解剖学的知見と、解剖学的知見に基づく照合を行う際に注視すべき図形とをまとめた表である。
【図１４】第１必要項目の受付状況の例を示す図である。
【図１５】図１４に示す第１必要項目の受付状況から第２要求受付部で新たな第１必要項目が受け付けられた場合の抽出部および表示制御部の処理を示す図である。
【図１６】図１５に示す第１必要項目の受付状況から、さらに第２要求受付部で新たな第１必要項目が受け付けられた場合の抽出部および表示制御部の処理を示す図である。
【図１７】第２必要項目の受付状況の例を示す図である。
【図１８】図１７に示す第２必要項目の受付状況から第３要求受付部で新たな第２必要項目が受け付けられた場合の抽出部および表示制御部の処理を示す図である。
【図１９】図１８に示す第２必要項目の受付状況から、さらに第３要求受付部で新たな第２必要項目が受け付けられた場合の抽出部および表示制御部の処理を示す図である。
【図２０】クライアント端末のＣＰＵの機能部を示すブロック図である。
【図２１】重ね合わせ表示要求の送信前の照合画面を示す図である。
【図２２】重ね合わせ画像が表示された照合画面を示す図である。
【図２３】第１必要項目の指定の例を示す図である。
【図２４】第２必要項目の指定の例を示す図である。
【図２５】重ね合わせ画像上に図形が表示された照合画面を示す図である。
【図２６】画像処理サーバの処理手順を示すフローチャートである。
【図２７】照合画面の表示が更新される様子を示す図であり、（Ａ）は図２５に示す状態から表示が更新された場合、（Ｂ）は（Ａ）に示す状態から表示が更新された場合をそれぞれ示す。
【図２８】第２実施形態の画像処理サーバのＣＰＵの各機能部を示すブロック図である。
【図２９】一致度／照合指標テーブルの内容を示す図である。
【図３０】一致度の参照情報の例を示す図である。
【図３１】一致度の表示例を示す図である。
【図３２】照合指標の抽出状況の例を示す図である。
【図３３】図３２に示す照合指標の抽出状況から抽出部で新たな照合指標が抽出された場合の算出部および表示制御部の処理を示す図である。
【発明を実施するための形態】
【００２６】
[第１実施形態]
図１において、画像処理システム１０は、画像サーバ１１、画像処理装置に相当する画像処理サーバ１２、およびクライアント端末１３等を備える。これらはインターネットや公衆通信網といったＷＡＮ（Wide Area Network）等のネットワーク１４を介して相互に通信可能に接続されている。ネットワーク１４には、情報セキュリティを考慮して、ＶＰＮ（Virtual Private Network）が構築されたり、ＨＴＴＰＳ（Hypertext Transfer Protocol Secure)等のセキュリティレベルの高い通信プロトコルが使用されている。
【００２７】
画像サーバ１１は、頭蓋骨画像データベース（以下、ＤＢ（Data Base））１５と顔画像ＤＢ１６とを有する。頭蓋骨画像ＤＢ１５には頭蓋骨画像１７が、顔画像ＤＢ１６には顔画像１８が、それぞれ検索可能に格納されている。頭蓋骨画像１７は、白骨化した身元不明の人物の頭蓋骨の画像である。頭蓋骨画像１７は、例えばＣＴ（Computed Tomography）装置等の断層撮影装置で頭蓋骨を撮影して得られた三次元画像である。一方顔画像１８は行方不明者の顔の画像であり、行方不明者の身寄りから提供された免許証等の写真の二次元画像である。なお、頭蓋骨画像１７は、三次元レーザー形状測定装置で測定した三次元画像であってもよい。また、頭蓋骨画像１７は三次元画像に限らず、二次元画像であってもよい。
【００２８】
頭蓋骨画像１７と顔画像１８には、各画像を識別するための番号や記号である画像ＩＤ（Identification Data）と付帯情報とが関連付けられている。頭蓋骨画像１７の付帯情報には、例えば頭蓋骨の発見日時と場所、性別、年齢、血液型、死因といった司法解剖結果、遺留品等が登録されている（図２１等参照）。顔画像１８の付帯情報には、例えば行方不明者の氏名、性別、年齢、血液型、身長、体重、頭髪の色と形、服装、所持品等が登録されている（図２１等参照）。こうした付帯情報は、各画像１７、１８の分類や検索に利用することができる。なお、頭蓋骨画像１７から復元した似顔絵や歯の治療痕等、身元解明に繋がる他の情報が付帯情報として登録されていてもよい。
【００２９】
画像サーバ１１、画像処理サーバ１２、およびクライアント端末１３は、サーバコンピュータ、パーソナルコンピュータ、ワークステーションといったコンピュータをベースに、オペレーティングシステム等の制御プログラムや、各種アプリケーションプログラム（以下、ＡＰ）をインストールして構成される。
【００３０】
画像サーバ１１は、例えば身元不明の人物および行方不明者を取り扱う警察署や警察病院に設置される。画像サーバ１１は、頭蓋骨画像ＤＢ１５および顔画像ＤＢ１６から、クライアント端末１３を介して指定された画像ＩＤや付帯情報を検索キーとして、頭蓋骨画像１７および顔画像１８を検索する。画像サーバ１１は、検索した頭蓋骨画像１７および顔画像１８をクライアント端末１３に配信する。
【００３１】
画像処理サーバ１２は、画像サーバ１１と同様に警察署等に設置される。画像処理サーバ１２は、クライアント端末１３からの処理要求を受け付ける。画像処理サーバ１２は、処理要求に応じて、重ね合わせ画像１９および図形（図１では不図示）を表示した照合画面２０を生成する。画像処理サーバ１２は、生成した照合画面２０をクライアント端末１３に配信する。
【００３２】
重ね合わせ画像１９は、位置合わせ処理を行ったうえで頭蓋骨画像１７と顔画像１８を重ね合わせた画像である。図形は、重ね合わせ画像１９上に表示される、頭蓋骨と顔の解剖学的知見に基づく照合に用いる照合指標を示す点または線である。照合指標には、頭蓋骨上にある第１照合指標と顔上にある第２照合指標とがあり（図５および図８参照）、図形には、第１照合指標を示す点または線である第１図形と第２照合指標を示す点または線である第２図形とがある（図１２および図１３参照）。
【００３３】
クライアント端末１３のユーザーは、例えば警察署等に所属し、身元不明の遺体や行方不明者の捜索に従事する警察官である。クライアント端末１３は、画像処理サーバ１２に処理要求を送信する際等にユーザーにより操作される。また、クライアント端末１３は、照合画面２０をユーザーが閲覧可能に表示する。なお、図１では、１台のクライアント端末１３のみ図示しているが、実際には複数台のクライアント端末１３がネットワーク１４を介して画像サーバ１１および画像処理サーバ１２と接続されている。
【００３４】
画像処理サーバ１２は、クライアント端末１３に対して認証キーを発行して、画像処理サーバ１２へのアクセス権限を与える。また、画像処理サーバ１２は、ウェブブラウザ上で閲覧可能な照合画面２０を生成する。より具体的には、画像処理サーバ１２は、照合画面２０を、例えば、ＸＭＬ（Extensible Markup Language）等のマークアップ言語によって作成されるウェブ配信用の画面データの形式で出力する。クライアント端末１３は、画面データに基づき照合画面２０をウェブブラウザ上に再現して表示する。なお、ＸＭＬに代えて、ＪＳＯＮ（JavaScript（登録商標） Object Notation）等の他のデータ記述言語を利用してもよい。
【００３５】
図２において、クライアント端末１３から画像処理サーバ１２に送信される処理要求には、図２（Ａ）に示す重ね合わせ画像表示要求と、図２（Ｂ）に示す第１図形表示要求と、図２（Ｃ）に示す第２図形表示要求とがある。これら各表示要求には、要求内容を表すコマンドが付帯される。
【００３６】
重ね合わせ画像表示要求には、重ね合わせ画像１９の生成の対象となる頭蓋骨画像１７と顔画像１８が含まれている。第１図形表示要求には、手動入力による第１必要項目の指定情報が、第２図形表示要求には、手動入力による第２必要項目の指定情報がそれぞれ含まれている。第１必要項目は、第１照合指標の抽出に必要な頭蓋骨上の点または領域であり（図５参照）、第２必要項目は、第２照合指標の抽出に必要な顔上の点または領域である（図８参照）。なお、図示は省略するが、これら３種の処理要求には、処理要求の送信元のクライアント端末１３の識別情報、例えばＩＰ（Internet Protocol）アドレスやＭＡＣ（Media Access Control）アドレス等も含まれている。
【００３７】
図３において、画像処理サーバ１２およびクライアント端末１３を構成するコンピュータは、基本的な構成は同じであり、それぞれ、ストレージデバイス３０、メモリ３１、ＣＰＵ（Central Processing Unit）３２、通信部３３、ディスプレイ３４、および入力デバイス３５を備えている。これらはデータバス３６を介して相互接続されている。
【００３８】
ストレージデバイス３０は、画像処理サーバ１２等を構成するコンピュータに内蔵、またはケーブルやネットワークを通じて接続されたハードディスクドライブ、もしくはハードディスクドライブを複数台連装したディスクアレイである。ストレージデバイス３０には、オペレーティングシステム等の制御プログラムや各種ＡＰ、およびこれらのプログラムに付随する各種データ等が記憶されている。
【００３９】
メモリ３１は、ＣＰＵ３２が処理を実行するためのワークメモリである。ＣＰＵ３２は、ストレージデバイス３０に記憶されたプログラムをメモリ３１へロードして、プログラムにしたがった処理を実行することにより、コンピュータの各部を統括的に制御する。
【００４０】
通信部３３は、ネットワーク１４を介した各種情報の伝送制御を行うネットワークインターフェースである。ディスプレイ３４は、マウスやキーボード、あるいはタッチパネル等の入力デバイス３５の操作に応じた各種画面を表示する。画面にはＧＵＩ(Graphical User Interface)による操作機能が備えられる。画像処理サーバ１２等を構成するコンピュータは、画面を通じて入力デバイス３５からの操作指示の入力を受け付ける。
【００４１】
なお、以下の説明では、画像処理サーバ１２を構成するコンピュータの各部には添え字の「Ａ」を、クライアント端末１３を構成するコンピュータの各部には添え字の「Ｂ」をそれぞれ符号に付して区別する。
【００４２】
図４において、画像処理サーバ１２のストレージデバイス３０Ａには、ＡＰとして作動プログラム４０が記憶されている。作動プログラム４０は、画像処理サーバ１２を構成するコンピュータを、画像処理装置として機能させるためのＡＰである。ストレージデバイス３０Ａには、作動プログラム４０の他に、第１照合指標／第１必要項目テーブル４１（図５参照）および第２照合指標／第２必要項目テーブル４２（図８参照）が記憶されている。
【００４３】
作動プログラム４０が起動されると、画像処理サーバ１２のＣＰＵ３２Ａは、メモリ３１等と協働して、第１要求受付部４５、第２要求受付部４６、第３要求受付部４７、位置合わせ処理部４８、抽出部４９、表示制御部５０、および配信制御部５１として機能する。
【００４４】
第１要求受付部４５は、クライアント端末１３からの処理要求のうちの重ね合わせ画像表示要求を受け付ける。重ね合わせ画像表示要求には、図２（Ａ）で説明したように頭蓋骨画像１７と顔画像１８が含まれている。このため第１要求受付部４５は、頭蓋骨画像１７と顔画像１８の入力を受け付ける画像受付部として機能する。第１要求受付部４５は、重ね合わせ画像表示要求に含まれる頭蓋骨画像１７と顔画像１８を位置合わせ処理部４８に受け渡す。
【００４５】
第２要求受付部４６は、クライアント端末１３からの処理要求のうちの第１図形表示要求を受け付ける。第１図形表示要求には、図２（Ｂ）で説明したように手動入力による第１必要項目の指定情報が含まれている。このため第２要求受付部４６は、第１必要項目の手動入力による指定を受け付ける第１指定受付部として機能する。第２要求受付部４６は、第１図形表示要求に含まれる第１必要項目の指定情報を抽出部４９に受け渡す。
【００４６】
第３要求受付部４７は、クライアント端末１３からの処理要求のうちの第２図形表示要求を受け付ける。第２図形表示要求には、図２（Ｃ）で説明したように手動入力による第２必要項目の指定情報が含まれている。このため第３要求受付部４７は、第２必要項目の手動入力による指定を受け付ける第２指定受付部として機能する。第３要求受付部４７は、第２図形表示要求に含まれる第２必要項目の指定情報を抽出部４９に受け渡す。
【００４７】
なお、図示は省略するが、これらの各要求受付部４５〜４７は、各要求に含まれる各要求の送信元のクライアント端末１３の識別情報を配信制御部５１に受け渡す。
【００４８】
位置合わせ処理部４８は、第１要求受付部４５からの頭蓋骨画像１７と顔画像１８の位置合わせ処理を行う。位置合わせ処理は、顔画像１８の顔の大きさや向きに、頭蓋骨画像１７の頭蓋骨の大きさや向きを合わせ込む処理であり、より具体的には頭蓋骨画像１７の頭蓋骨の拡縮、移動、回転処理である。例えば頭蓋骨画像１７の頭蓋骨が正面を向いた状態で、顔画像１８の顔が右下方に俯いた状態であった場合、位置合わせ処理部４８は、頭蓋骨画像１７の頭蓋骨に回転処理を施して、頭蓋骨を顔と同じく右下方に俯いた状態とする。位置合わせ処理部４８は、位置合わせ処理後の頭蓋骨画像１７と顔画像１８とを、抽出部４９および表示制御部５０に受け渡す。
【００４９】
抽出部４９は、後に詳述するように、第２要求受付部４６からの第１必要項目の指定情報に基づいて、第１照合指標を演算により抽出する。また、抽出部４９は、第３要求受付部４７からの第２必要項目の指定情報に基づいて、第２照合指標を演算により抽出する。抽出部４９は、抽出した第１照合指標および第２照合指標を表示制御部５０に受け渡す。
【００５０】
表示制御部５０は、重ね合わせ画像１９の表示を制御し、第１図形および第２図形を重ね合わせ画像１９上に表示する。より具体的には、表示制御部５０は、位置合わせ処理部４８からの位置合わせ処理後の頭蓋骨画像１７と顔画像１８とを重ね合わせて、重ね合わせ画像１９を生成する。また、表示制御部５０は、抽出部４９からの第１照合指標および第２照合指標に基づいて、これらを示す第１図形および第２図形を重ね合わせ画像１９上に表示する。表示制御部５０は、重ね合わせ画像１９と第１図形および第２図形を表示した照合画面２０を生成し、これを配信制御部５１に受け渡す。
【００５１】
配信制御部５１は、各要求受付部４５〜４７からの識別情報を元に、各要求の送信元のクライアント端末１３を特定する。配信制御部４３は、特定したクライアント端末１３に、表示制御部５０からの照合画面２０を配信する。
【００５２】
図５において、第１照合指標／第１必要項目テーブル４１には、複数の第１照合指標と、複数の第１照合指標の各々に対して設定された第１必要項目とが登録されている。第１必要項目は、頭蓋骨の両眼窩の最上点、最下点、最右点、最左点を含む。例えば番号Ｓ１には、第１照合指標として「左眼窩（５５Ｌ）の高さ（ＨＬ）の下１／３の位置（５６Ｌ）」が、第１必要項目として「左眼窩（５５Ｌ）の最上点（５７Ｌ）」および「左眼窩（５５Ｌ）の最下点（５８Ｌ）」の２つがそれぞれ登録されている。また、番号Ｓ３には、第１照合指標として「左眼窩（５５Ｌ）の幅（ＷＬ１）の３／４の長さ（ＷＬ２）」が、第１必要項目として「左眼窩（５５Ｌ）の最右点（５９Ｌ）」および「左眼窩（５５Ｌ）の最左点（６０Ｌ）」の２つがそれぞれ登録されている。
【００５３】
各第１照合指標は、各々に設定された第１必要項目の入力に基づいて、抽出部４９からそれぞれ抽出される。ただし、番号Ｓ５に登録された第１照合指標と第１必要項目は、「左眼窩（５５Ｌ）の最上点（５７Ｌ）」で同じある。また、番号Ｓ６に登録された第１照合指標と第１必要項目も、「右眼窩（５５Ｒ）の最上点（５７Ｒ）」で同じである。すなわち、番号Ｓ５およびＳ６の場合、抽出部４９は、第２要求受付部４６からの第１必要項目をそのまま第１照合指標として出力し、第１必要項目の入力に基づく第１照合指標を抽出するための演算を行わない。
【００５４】
図６は、第１照合指標／第１必要項目テーブル４１に登録された第１必要項目で表される点５７Ｌ〜６０Ｌ、５７Ｒ〜６０Ｒを描画した頭蓋骨画像１７である。また図７は、図６の第１必要項目で表される点に加えて、第１照合指標で表される高さＨＬ、ＨＲ、位置５６Ｌ、５６Ｒ、幅ＷＬ１、ＷＲ１、および長さＷＬ２、ＷＲ２を描画した頭蓋骨画像１７の眼窩付近の拡大図である。図６および図７において、左眼窩を示す５５Ｌ、その最上点を示す５７Ｌ、左眼窩の高さの下１／３の位置を示す５６Ｌ等の符号は、図５の第１照合指標／第１必要項目テーブル４１に括弧書きで記載された符号と対応している。
【００５５】
図７において、例えば番号Ｓ１の第１照合指標「左眼窩（５５Ｌ）の高さ（ＨＬ）の下１／３の位置（５６Ｌ）」を抽出する場合、抽出部４９は、第１必要項目の「左眼窩（５５Ｌ）の最上点（５７Ｌ）」および「左眼窩（５５Ｌ）の最下点（５８Ｌ）」をそれぞれ通る破線で示す水平線６５Ｌ、６６Ｌの垂直方向の幅を高さ（ＨＬ）として求める。そして、求めた高さ（ＨＬ）を３等分し、３等分したうちの下側の位置を位置５６Ｌとして抽出する。
【００５６】
左眼窩５５Ｌの最上点５７Ｌを通る破線の水平線６５Ｌおよび最下点５８Ｌを通る破線の水平線６６Ｌは、番号Ｓ１の第１必要項目を示す線であり、右眼窩５５Ｒの最上点５７Ｒを通る破線の水平線６５Ｒおよび最下点５８Ｒを通る破線の水平線６６Ｒは、番号Ｓ２の第１必要項目を示す線である。そして、符号５９Ｌ、６０Ｌで示す点は番号Ｓ３の第１必要項目を示す点であり、符号５９Ｒ、６０Ｒで示す点は番号Ｓ４の第１必要項目を示す点である。すなわち、これらの線６５Ｌ、６５Ｒ、６６Ｌ、６６Ｒおよび点５９Ｌ、５９Ｒ、６０Ｌ、６０Ｒは、第１必要項目に相当する頭蓋骨上の点を通る線および第１必要項目に相当する頭蓋骨上の点である。
【００５７】
また、一点鎖線の水平線５６Ｌは番号Ｓ１の第１照合指標を示す線であり、一点鎖線の水平線５６Ｒは番号Ｓ２の第１照合指標を示す線である。また、長さＷＬ２を示す破線の垂直線６７Ｌ、６８Ｌは、番号Ｓ３の第１照合指標を示す線であり、長さＷＲ２を示す破線の垂直線６７Ｒ、６８Ｒは、番号Ｓ４の第１照合指標を示す線である。さらに、水平線６５Ｌは番号Ｓ５の第１照合指標を示す線であり、水平線６５Ｒは番号Ｓ６の第１照合指標を示す線である。すなわち、これらの線５６Ｌ、５６Ｒ、６５Ｌ、６５Ｒ、６７Ｌ、６７Ｒ、６８Ｌ、６８Ｒは、第１図形である。
【００５８】
図８において、第２照合指標／第２必要項目テーブル４２には、複数の第２照合指標と、複数の第２照合指標の各々に対して設定された第２必要項目とが登録されている。第２必要項目は、両目の目尻の点、両目の目頭の点、顔の両眉の外接矩形領域を含む。例えば番号Ｆ３には、第２照合指標として「左目尻（７０Ｌ）と左目頭（７１Ｌ）の距離（ＷＬＥ）」が、第２必要項目として「左目尻の点（７０Ｌ）」および「左目頭の点（７１Ｌ）」の２つがそれぞれ登録されている。また、番号Ｆ５には、第２照合指標として「左眉（７２Ｌ）の外接矩形領域（７３Ｌ）の中心（７４Ｌ）」が、第２必要項目として「左眉（７２Ｌ）の外接矩形領域（７３Ｌ）」がそれぞれ登録されている。
【００５９】
各第２照合指標は、各々に設定された第２必要項目の入力に基づいて、抽出部４９からそれぞれ抽出される。ただし、番号Ｆ１に登録された第２照合指標と第２必要項目は、「左目尻の位置、点（７０Ｌ）」で同じである。また、番号Ｆ２に登録された第２照合指標と第２必要項目も、「右目尻の位置、点（７０Ｒ）」で同じである。すなわち、番号Ｆ１およびＦ２の場合は、第１照合指標／第１必要項目テーブル４１の番号Ｓ５およびＳ６の場合と同様に、抽出部４９は、第２必要項目に基づく第２照合指標を抽出するための演算を行わない。
【００６０】
図９は、第２照合指標／第２必要項目テーブル４２に登録された第２必要項目で表される点７０Ｌ、７０Ｒ、７１Ｌ、７１Ｒ、並びに領域７３Ｌ、７３Ｒを描画した顔画像１８である。また図１０は、図９の第２必要項目で表される点、領域に加えて、第２照合指標で表される距離ＷＬＥ、ＷＲＥ、および中心７４Ｌ、７４Ｒを描画した顔画像１８の目付近の拡大図である。図９および図１０において、左眉を示す７２Ｌ、その外接矩形領域を示す７３Ｌ、左目尻の位置、点を示す７０Ｌ等の符号は、図８の第２照合指標／第２必要項目テーブル４２に括弧書きで記載された符号と対応している。
【００６１】
図１０において、例えば番号Ｆ３の第２照合指標「左目尻（７０Ｌ）と左目頭（７１Ｌ）の距離（ＷＬＥ）」を抽出する場合、抽出部４９は、第２必要項目の「左目尻の点（７０Ｌ）」および「左目頭の点（７１Ｌ）」をそれぞれ通る破線で示す垂直線７５Ｌ、７６Ｌの水平方向の幅を距離（ＷＬＥ）として抽出する。また、例えば番号Ｆ５の第２照合指標「左眉（７２Ｌ）の外接矩形領域（７３Ｌ）の中心（７４Ｌ）」を抽出する場合、抽出部４９は、第２必要項目の「左眉（７２Ｌ）の外接矩形領域（７３Ｌ）」の対角線の中点を求め、これを中心（７４Ｌ）として抽出する。
【００６２】
符号７０Ｌ、７１Ｌで示す点は番号Ｆ３の第２必要項目を示す点であり、符号７０Ｒ、７１Ｒで示す点は番号Ｆ４の第２必要項目を示す点である。また、点線の矩形領域７３Ｌは番号Ｆ５の第２必要項目を示す領域であり、点線の矩形領域７３Ｒは番号Ｆ６の第２必要項目を示す領域である。すなわち、これらの点７０Ｌ、７０Ｒ、７１Ｌ、７１Ｒおよび領域７３Ｌ、７３Ｒは、第２必要項目に相当する顔上の点および第２必要項目に相当する顔上の領域である。
【００６３】
また、符号７０Ｌで示す点は番号Ｆ１の第２照合指標を示す点であり、符号７０Ｒで示す点は番号Ｆ２の第２照合指標を示す点である。また、距離ＷＬＥを示す破線の垂直線７５Ｌ、７６Ｌは、番号Ｆ３の第２照合指標を示す線であり、距離ＷＲＥを示す垂直線７５Ｒ、７６Ｒは、番号Ｆ４の第２照合指標を示す線である。さらに、符号７４Ｌで示す点を通る一点鎖線の水平線７７Ｌは、番号Ｆ５の第２照合指標を示す線であり、符号７４Ｒで示す点を通る一点鎖線の水平線７７Ｒは、番号Ｆ６の第２照合指標を示す線である。すなわち、これらの点７０Ｌ、７０Ｒ、および線７５Ｌ、７５Ｒ、７６Ｌ、７６Ｒ、７７Ｌ、７７Ｒは、第２図形である。
【００６４】
図１１に示すように、表示制御部５０は、第１必要項目に相当する頭蓋骨上の点を通る線である線６５Ｌ、６５Ｒ、６６Ｌ、６６Ｒを重ね合わせ画像１９上に表示する。また、表示制御部５０は、第２必要項目に相当する顔上の点である点７０Ｌ、７０Ｒ、並びに第２必要項目に相当する顔上の領域である領域７３Ｌ、７３Ｒを重ね合わせ画像１９上に表示する。なお、線６５Ｌ、６５Ｒは第１図形としても表示され、点７０Ｌ、７０Ｒは第２図形としても表示される（図１２参照）。
【００６５】
なお、図１１では、第１必要項目に相当する頭蓋骨上の点を通る線６５Ｌ、６５Ｒ、６６Ｌ、６６Ｒのみを重ね合わせ画像１９上に表示しているが、第１必要項目に相当する頭蓋骨上の点５７Ｌ〜６０Ｌ、５７Ｒ〜６０Ｒを重ね合わせ画像１９上に表示してもよい。同様に、第２必要項目に相当する顔上の点７０Ｌ、７０Ｒ、並びに第２必要項目に相当する顔上の領域７３Ｌ、７３Ｒに加えて、あるいは代えて、第２必要項目に相当する顔上の点を通る線を重ね合わせ画像１９上に表示してもよい。
【００６６】
図１２に示すように、表示制御部５０は、第１照合指標を示す線である線５６Ｌ、５６Ｒ、６５Ｌ、６５Ｒ、６７Ｌ、６７Ｒ、６８Ｌ、６８Ｒを、第１図形として重ね合わせ画像１９上に表示する。また、表示制御部５０は、第２照合指標を示す点である点７０Ｌ、７０Ｒ、並びに第２照合指標を示す線である線７５Ｌ、７５Ｒ、７６Ｌ、７６Ｒ、７７Ｌ、７７Ｒを、第２図形として重ね合わせ画像１９上に表示する。
【００６７】
なお、図面の煩雑化を避けるため、第１必要項目に相当する頭蓋骨上の点を通る線６５Ｌ、６５Ｒ、６６Ｌ、６６Ｒと、第２必要項目に相当する顔上の領域７３Ｌ、７３Ｒとを図１１に、第１照合指標を示す線５６Ｌ、５６Ｒ、６７Ｌ、６７Ｒ、６８Ｌ、６８Ｒと、第２照合指標を示す線７５Ｌ、７５Ｒ、７６Ｌ、７６Ｒ、７７Ｌ、７７Ｒを図１２にそれぞれ示したが、実際にはこれらは同時に重ね合わせ画像１９上に表示される。
【００６８】
図１３は、頭蓋骨と顔の解剖学的知見と、解剖学的知見に基づく照合を行う際に注視すべき図形とをまとめた表である。番号Ｓ１−Ｆ１の解剖学的知見は、第１照合指標／第１必要項目テーブル４１の番号Ｓ１の第１照合指標と第２照合指標／第２必要項目テーブル４２の番号Ｆ１の第２照合指標とに関するものである。他の番号についても同じことがいえ、例えば番号Ｓ４−Ｆ４の解剖学的知見は、番号Ｓ４の第１照合指標と番号Ｆ４の第２照合指標とに関するものである。
【００６９】
例えば番号Ｓ１−Ｆ１の解剖学的知見に関する第１照合指標および第２照合指標のうち、第２照合指標「左目尻の位置（７０Ｌ）」は、抽出部４９が演算により抽出したものではなく、ユーザーが第２必要項目として指定したものである。また、番号Ｓ５−Ｆ５の解剖学的知見に関する照合指標のうち、第１照合指標「左眼窩（５５Ｌ）の最上点（５７Ｌ）」も、抽出部４９が演算により抽出したものではなく、ユーザーが第１必要項目として指定したものである。このように、１つの解剖学的知見に関する第１照合指標および第２照合指標のうちの少なくともいずれかは、抽出部４９で演算により抽出したものでなくともよい。
【００７０】
番号Ｓ１−Ｆ１の解剖学的知見は、具体的には「左眼窩（５５Ｌ）の高さ（ＨＬ）の下１／３の位置（５６Ｌ）と左目尻の位置（７０Ｌ）とが一致する」というものである。この番号Ｓ１−Ｆ１の解剖学的知見に基づく照合を行う際に注視すべき図形は、第１図形は左眼窩５５Ｌの高さＨＬの下１／３の位置を示す線５６Ｌであり、第２図形は左目尻の点７０Ｌである。線５６Ｌ上に点７０Ｌが存在していれば、番号Ｓ１−Ｆ１の解剖学的知見をクリアしているので、頭蓋骨画像１７の人物と顔画像１８の人物が同一人物である可能性が高いと判定することができる。逆に線５６Ｌ上に点７０Ｌが存在しておらず、線５６Ｌと点７０Ｌの距離が大きく離れていた場合は、頭蓋骨画像１７の人物と顔画像１８の人物が同一人物である可能性が低いと判定することができる。
【００７１】
また、番号Ｓ３−Ｆ３の解剖学的知見に基づく照合を行う際に注視すべき図形は、第１図形は左眼窩５５Ｌの幅ＷＬ１の３／４の長さＷＬ２を示す線６７Ｌ、６８Ｌであり、第２図形は左目尻７０Ｌと左目頭７１Ｌの距離ＷＬＥを示す線７５Ｌ、７６Ｌである。線６７Ｌ、６８Ｌの幅、つまり長さＷＬ２と、線７５Ｌ、７６Ｌの幅、つまり距離ＷＬＥとが一致していれば、番号Ｓ３−Ｆ３の解剖学的知見をクリアしているので、頭蓋骨画像１７の人物と顔画像１８の人物が同一人物である可能性が高いと判定することができる。逆に線６７Ｌ、６８Ｌの幅と線７５Ｌ、７６Ｌの幅が大きく異なる場合は、頭蓋骨画像１７の人物と顔画像１８の人物が同一人物である可能性が低いと判定することができる。
【００７２】
さらに、番号Ｓ５−Ｆ５の解剖学的知見に基づく照合を行う際に注視すべき図形は、第１図形は左眼窩５５Ｌの最上点５７Ｌを通る線６５Ｌであり、第２図形は左眉７２Ｌの外接矩形領域７３Ｌの中心７４Ｌを通る線７７Ｌである。線６５Ｌと線７７Ｌとが一致、つまり点５７Ｌの高さと中心７４Ｌの高さとが一致していれば、番号Ｓ５−Ｆ５の解剖学的知見をクリアしているので、頭蓋骨画像１７の人物と顔画像１８の人物が同一人物である可能性が高いと判定することができる。逆に線６５Ｌと線７７Ｌとが一致しておらず、線６５Ｌと線７７Ｌの距離が大きく離れていた場合は、頭蓋骨画像１７の人物と顔画像１８の人物が同一人物である可能性が低いと判定することができる。
【００７３】
このように解剖学的知見は複数あり、頭蓋骨画像１７の人物と顔画像１８の人物が同一人物であるか否かの判定は、これら複数の解剖学的知見を総合的に判断して行われる。こうした総合的な判断を行いやすくするため、画像処理サーバ１２は、各解剖学的知見に関する各照合指標について、設定された必要項目が揃った順に抽出を行い、かつ照合指標が抽出された段階で図形を表示する機能を備えている。
【００７４】
より具体的には、抽出部４９は、第１必要項目が第２要求受付部４６で受け付けられた場合に、複数の第１照合指標の各々について、設定された第１必要項目が揃ったか否かを判断する。そして、複数の第１照合指標のうち、設定された第１必要項目が揃った第１照合指標から順に抽出する。表示制御部５０は、抽出部４９により第１照合指標が抽出された段階で第１図形を表示する。
【００７５】
また、抽出部４９は、第２必要項目が第３要求受付部４７で受け付けられた場合に、複数の第２照合指標の各々について、設定された第２必要項目が揃ったか否かを判断する。そして、複数の第２照合指標のうち、設定された第２必要項目が揃った第２照合指標から順に抽出する。表示制御部５０は、抽出部４９により第２照合指標が抽出された段階で第２図形を表示する。
【００７６】
図１４〜図１９を用いて、上記の設定された必要項目が揃った順に照合指標の抽出を行い、かつ照合指標が抽出された段階で図形を表示する機能を説明する。図１４〜図１６は、設定された第１必要項目が揃った第１照合指標から順に抽出し、第１照合指標が抽出された段階で第１図形を表示する場合、図１７〜図１９は、設定された第２必要項目が揃った第２照合指標から順に抽出し、第２照合指標が抽出された段階で第２図形を表示する場合をそれぞれ示す。
【００７７】
まず図１４に示すように、第２要求受付部４６による第１必要項目の受付状況が、番号Ｓ１の第１必要項目「左眼窩（５５Ｌ）の最下点（５８Ｌ）」と番号Ｓ２の第１必要項目「右眼窩（５５Ｒ）の最下点（５８Ｒ）」のみが受け付け済み（「済」で示す）で、その他の第１必要項目は未だ受け付けていない（「未」で示す）場合を考える。この場合はいずれの第１照合指標も設定された第１必要項目が揃っていないため、第１照合指標は１つも抽出されておらず、また、重ね合わせ画像１９上には１つも第１図形は表示されていない。
【００７８】
図１５は、図１４に示す受付状況から第２要求受付部４６で第１必要項目「左眼窩（５５Ｌ）の最上点（５７Ｌ）」が受け付けられた場合を示している。この場合、番号Ｓ１の第１照合指標に設定された第１必要項目が揃ったので、抽出部４９は、番号Ｓ１の第１照合指標「左眼窩（５５Ｌ）の高さ（ＨＬ）の下１／３の位置（５６Ｌ）」を抽出する。表示制御部５０は、第１図形として、左眼窩５５Ｌの高さＨＬの下１／３の位置を示す線５６Ｌを重ね合わせ画像１９上に表示する。また、この場合、第１必要項目「左眼窩（５５Ｌ）の最上点（５７Ｌ）」の受け付けにより、番号Ｓ５の第１必要項目も揃ったので、表示制御部５０は、第１図形として、左眼窩５５Ｌの最上点５７Ｌを通る線６５Ｌも重ね合わせ画像１９上に表示する。
【００７９】
図１６は、図１５に示す受付状況から、さらに第２要求受付部４６で第１必要項目「右眼窩（５５Ｒ）の最上点（５７Ｒ）」が受け付けられた場合を示している。この場合、番号Ｓ２の第１照合指標に設定された第１必要項目が揃ったので、抽出部４９は、番号Ｓ２の第１照合指標「右眼窩（５５Ｒ）の高さ（ＨＲ）の下１／３の位置（５６Ｒ）」を抽出する。表示制御部５０は、第１図形として、右眼窩５５Ｒの高さＨＲの下１／３の位置を示す線５６Ｒを重ね合わせ画像１９上に表示する。また、この場合、第１必要項目「右眼窩（５５Ｒ）の最上点（５７Ｒ）」の受け付けにより、番号Ｓ６の第１必要項目も揃ったので、表示制御部５０は、第１図形として、右眼窩５５Ｒの最上点５７Ｒを通る線６５Ｒも重ね合わせ画像１９上に表示する。
【００８０】
一方、図１７に示すように、第３要求受付部４７による第２必要項目の受付状況が、番号Ｆ３の第２必要項目「左目頭の点（７１Ｌ）」のみが受け付け済みで、その他の第２必要項目は未だ受け付けていない場合を考える。この場合はいずれの第２照合指標も設定された第２必要項目が揃っていないため、第２照合指標は１つも抽出されておらず、また、重ね合わせ画像１９上には１つも第２図形は表示されていない。
【００８１】
図１８は、図１７に示す受付状況から第３要求受付部４７で第２必要項目「左目尻の点（７０Ｌ）」が受け付けられた場合を示している。この場合、番号Ｆ３の第２照合指標に設定された第２必要項目が揃ったので、抽出部４９は、番号Ｆ３の第１照合指標「左目尻（７０Ｌ）と左目頭（７１Ｌ）の距離（ＷＬＥ）」を抽出する。表示制御部５０は、第２図形として、左目尻７０Ｌと左目頭７１Ｌの距離ＷＬＥを示す線７５Ｌ、７６Ｌを重ね合わせ画像１９上に表示する。また、この場合、第２必要項目「左目尻の点（７０Ｌ）」の受け付けにより、番号Ｆ１の第１必要項目も揃ったので、表示制御部５０は、第２図形として、左目尻の点７０Ｌも重ね合わせ画像１９上に表示する。
【００８２】
図１９は、図１８に示す受付状況から、さらに第３要求受付部４７で第２必要項目「右眉（７２Ｒ）の外接矩形領域（７３Ｒ）」が受け付けられた場合を示している。この場合、番号Ｆ６の第２照合指標に設定された第２必要項目が揃ったので、抽出部４９は、番号Ｆ６の第２照合指標「右眉（７２Ｒ）の外接矩形領域（７３Ｒ）の中心（７４Ｒ）」を抽出する。また、表示制御部５０は、第２図形として、右眉７２Ｒの外接矩形領域７３Ｒの中心７４Ｒを通る線７７Ｒを重ね合わせ画像１９上に表示する。
【００８３】
図２０において、ウェブブラウザが起動されて画像処理サーバ１２への認証が済まされると、クライアント端末１３のＣＰＵ３２Ｂは、メモリ３１等と協働して、ブラウザ制御部８５として機能する。
【００８４】
ブラウザ制御部８５は、画像処理サーバ１２からの照合画面２０の画面データを受け取る。ブラウザ制御部８５は、受け取った画面データに基づきウェブブラウザ上に表示する照合画面２０を再現し、これをディスプレイ３４Ｂに表示する。また、ブラウザ制御部８５は、照合画面２０を通じて入力デバイス３５Ｂから入力される、処理要求に関わる各種指示を受け付ける。ブラウザ制御部８５は、各種指示に応じた処理要求を画像処理サーバ１２に送信する。
【００８５】
図２１、図２２、および図２５において、照合画面２０は、第１表示領域９１、第２表示領域９２、および第３表示領域９３を有している。第１表示領域９１には頭蓋骨画像１７が表示され、頭蓋骨画像１７の付帯情報の表示枠９４が設けられている。第２表示領域９２には顔画像１８が表示され、顔画像１８の付帯情報の表示枠９５が設けられている。第３表示領域９３には、第１表示領域９１に表示された頭蓋骨画像１７と、第２表示領域９２に表示された顔画像１８の重ね合わせ画像１９が表示される。
【００８６】
なお、図示は省略するが、照合画面２０には、所望の頭蓋骨画像１７と顔画像１８を画像サーバ１１から検索する機能が備わっている。この検索機能には、例えば、頭蓋骨画像１７と顔画像１８の画像ＩＤや付帯情報を検索キーとして指定する機能や、頭蓋骨画像１７の付帯情報の一部または全てと一致または類似する顔画像１８を検索する一致検索または類似検索機能等が用意されている。
【００８７】
図２１は、重ね合わせ画像表示要求の送信前の照合画面２０を示している。この場合、第２表示領域９２の下部には、重ね合わせボタン９６が表示される。また、第３表示領域９３には、重ね合わせボタン９６の選択を促すメッセージが表示される。
【００８８】
重ね合わせボタン９６がカーソル９７で選択された場合、第１表示領域９１に表示された頭蓋骨画像１７と、第２表示領域９２に表示された顔画像１８とを含む重ね合わせ画像表示要求が、ブラウザ制御部８５から画像処理サーバ１２に送信される。
【００８９】
図２２は、重ね合わせ画像表示要求の送信後の照合画面２０を示している。この場合、重ね合わせボタン９６が消え、代わりに、第１表示領域９１にプルダウンメニュー９８と送信ボタン９９が、第２表示領域９２にプルダウンメニュー１００と送信ボタン１０１がそれぞれ出現する。プルダウンメニュー９８は、第１表示領域９１の頭蓋骨画像１７上で指定する第１必要項目を択一的に選択するためのもので、左眼窩５５Ｌの最上点５７Ｌといった全ての第１必要項目が選択肢として用意されている。一方、プルダウンメニュー１００は、第２表示領域９２の顔画像１８上で指定する第２必要項目を択一的に選択するためのもので、右眉７２Ｒの外接矩形領域７３Ｒといった全ての第２必要項目が選択肢として用意されている。
【００９０】
カーソル９７により所望の第１必要項目がプルダウンメニュー９８で選択され、選択された第１必要項目に相当する頭蓋骨上の点が、第１表示領域９１の頭蓋骨画像１７上においてカーソル９７で入力され、送信ボタン９９が選択された場合、第１必要項目の指定情報を含む第１図形表示要求が、ブラウザ制御部８５から画像処理サーバ１２に送信される。第１必要項目の指定情報は、具体的にはカーソル９７で入力された点の頭蓋骨画像１７上の位置を示す座標である。
【００９１】
一方、カーソル９７により所望の第２必要項目がプルダウンメニュー１００で選択され、選択された第２必要項目に相当する顔上の点または領域が、第２表示領域９２の顔画像１８上においてカーソル９７で入力され、送信ボタン１０１が選択された場合、第２必要項目の指定情報を含む第２図形表示要求が、ブラウザ制御部８５から画像処理サーバ１２に送信される。第２必要項目の指定情報は、具体的にはカーソル９７で入力された点の顔画像１８上の位置または領域を示す座標である。なお、第１必要項目に相当する頭蓋骨上の点、および第２必要項目に相当する顔上の点または領域の指定は、送信ボタン９９、１０１を選択するまで何度でもやり直すことが可能である。
【００９２】
図２３は、指定する第１必要項目としてプルダウンメニュー９８で左眼窩５５Ｌの最上点５７Ｌが選択された場合を示している。この場合、ユーザーは、頭蓋骨画像１７上の左眼窩５５Ｌの最上点５７Ｌと思しき位置にカーソル９７を合わせ、マウスを左クリックする等してその位置を入力する。頭蓋骨画像１７上のカーソル９７で入力された位置には、ユーザーの入力点を示すマーク１０５が表示される。
【００９３】
図２４は、指定する第２必要項目としてプルダウンメニュー１００で右眉７２Ｒの外接矩形領域７３Ｒが選択された場合を示している。この場合、ユーザーは、マウスをドラッグする等して、右眉７２Ｒの外接矩形領域７３Ｒと思しき領域を囲う矩形を入力する。顔画像１８上のカーソル９７で入力された位置には、ユーザーの入力矩形を示す破線のマーク１０５がユーザーの入力軌跡として表示される。
【００９４】
こうしてプルダウンメニュー９８およびプルダウンメニュー１００で第１必要項目および第２必要項目がそれぞれ選択され、第１必要項目に相当する頭蓋骨上の点および第２必要項目に相当する顔上の点または領域がユーザーの手で入力されていくことで、第１図形表示要求および第２図形表示要求が次々と画像処理サーバ１２に送信される。そして、第１図形表示要求および第２図形表示要求に応じて、画像処理サーバ１２で次々と重ね合わせ画像１９上に第１図形および第２図形が表示され、これに伴い照合画面２０の表示が更新される。
【００９５】
図２５は、第１必要項目のうちの左眼窩５５Ｌの最上点５７Ｌおよび最下点５８Ｌが頭蓋骨画像１７上で指定され、第２必要項目のうちの左目尻の点７０Ｌが顔画像１８上で指定された場合の照合画面２０を示している。この場合、第１図形として左眼窩５５Ｌの高さＨＬの下１／３の位置を示す線５６Ｌが、第２図形として左目尻の点７０Ｌがそれぞれ重ね合わせ画像１９上に表示される。また、第１必要項目に相当する頭蓋骨上の点を通る線として、左眼窩５５Ｌの最上点５７Ｌを通る線６５Ｌおよび最下点５８Ｌを通る線６６Ｌが重ね合わせ画像１９上に表示される。
【００９６】
以下、上記構成による作用について、図２６のフローチャートを参照して説明する。まず、ユーザーは、クライアント端末１３を操作してウェブブラウザを起動し、画像処理サーバ１２にアクセスして認証を行って、ディスプレイ３４Ｂに照合画面２０を表示させる。そして、照合画面２０を通じて、所望の頭蓋骨画像１７と顔画像１８を画像サーバ１１から検索し、図２１に示す照合画面２０のように、頭蓋骨画像１７を第１表示領域９１に、顔画像１８を第２表示領域９２に、それぞれ表示させる。
【００９７】
頭蓋骨画像１７と顔画像１８の検索後、ユーザーは重ね合わせボタン９６をカーソル９７で選択する。これにより、第１表示領域９１に表示された頭蓋骨画像１７と、第２表示領域９２に表示された顔画像１８とを含む重ね合わせ画像表示要求が、クライアント端末１３から画像処理サーバ１２に送信される。
【００９８】
図２６のステップＳ１００に示すように、画像処理サーバ１２では、重ね合わせ画像表示要求、すなわち頭蓋骨画像１７と顔画像１８が第１要求受付部４５で受け付けられる。頭蓋骨画像１７と顔画像１８は、第１要求受付部４５から位置合わせ処理部４８に受け渡される。
【００９９】
位置合わせ処理部４８では、第１要求受付部４５からの頭蓋骨画像１７と顔画像１８の位置合わせ処理が行われる（ステップＳ１１０）。位置合わせ処理後の頭蓋骨画像１７と顔画像１８は、位置合わせ処理部４８から抽出部４９および表示制御部５０に受け渡される。
【０１００】
表示制御部５０により、位置合わせ処理部４８からの位置合わせ処理後の頭蓋骨画像１７と顔画像１８とから重ね合わせ画像１９が生成され、これを元に図２２に示すような照合画面２０が生成される（ステップＳ１２０）。照合画面２０は、表示制御部５０から配信制御部５１に受け渡され、配信制御部５１により重ね合わせ画像表示要求の送信元のクライアント端末１３に配信される（ステップＳ１３０）。
【０１０１】
クライアント端末１３では、画像処理サーバ１２からの照合画面２０がディスプレイ３４Ｂに表示される。このとき、第１表示領域９１にプルダウンメニュー９８および送信ボタン９９が、第２表示領域９２にプルダウンメニュー１００および送信ボタン１０１がそれぞれ出現し、第１必要項目に相当する頭蓋骨上の点、および第２必要項目に相当する顔上の点または領域の手動入力による指定が可能となる。
【０１０２】
ユーザーは、所望の第１必要項目、第２必要項目をプルダウンメニュー９８、１００で選択し、第１表示領域９１の頭蓋骨画像１７上の第１必要項目に相当する点、あるいは第２表示領域９２の顔画像１８上の第２必要項目に相当する点または領域を入力する。そして、送信ボタン９９、１０１を選択する。これにより、第１必要項目の指定情報を含む第１図形表示要求、あるいは第２必要項目の指定情報を含む第２図形表示要求が、クライアント端末１３から画像処理サーバ１２に送信される。
【０１０３】
重ね合わせ画像１９が表示された図２２に示すような照合画面２０の配信後、画像処理サーバ１２では、第２要求受付部４６および第３要求受付部４７で、第１図形表示要求および第２図形表示要求、すなわち第１必要項目の指定および第２必要項目の指定が待ち受けられている（ステップＳ１４０）。各要求受付部４６、４７で各図形表示要求が受け付けられた場合（ステップＳ１４０でＹＥＳ、ステップＳ１５０）、各図形表示要求に含まれる各必要項目の指定情報が各要求受付部４６、４７から抽出部４９に受け渡される。
【０１０４】
ステップＳ１６０に示すように、抽出部４９では、第１必要項目の指定情報が受け渡された場合、複数の第１照合指標の各々について、設定された第１必要項目が揃ったか否かが判断される。一方、第２必要項目の指定情報が受け渡された場合は、複数の第２照合指標の各々について、設定された第２必要項目が揃ったか否かが判断される。
【０１０５】
必要項目が揃っていないと判断された場合（ステップＳ１６０でＮＯ）、当該必要項目が設定された照合指標の抽出は行われない。一方、必要項目が揃ったと判断された場合（ステップＳ１６０でＹＥＳ）、抽出部４９で当該必要項目が設定された照合指標の抽出が行われる（ステップＳ１７０）。照合指標は、抽出部４９から表示制御部５０に受け渡される。
【０１０６】
ステップＳ１８０に示すように、表示制御部５０では、抽出部４９からの照合指標に基づく図形が重ね合わせ画像１９上に表示される。また、第１必要項目に相当する頭蓋骨上の点を通る線、第２必要項目に相当する顔上の点、並びに第２必要項目に相当する顔上の領域も重ね合わせ画像１９上に表示され、これにより照合画面２０が更新される。更新後の照合画面２０は、表示制御部５０から配信制御部５１に受け渡され、配信制御部５１により図形表示要求の送信元のクライアント端末１３に配信される（ステップＳ１９０）。これらステップＳ１４０〜ステップＳ１９０の処理は、全必要項目が揃うまで、またはユーザーにより照合画面２０の閲覧が終了されるまで（ステップＳ２００でＹＥＳ）続けられる。
【０１０７】
クライアント端末１３では、照合画面２０の表示が更新される。ユーザーは、重ね合わせ画像１９の目視による頭蓋骨と顔の照合を行い、身元不明の人物と行方不明者が同一人物であるか否かを判定する。
【０１０８】
例えば図２５に示す左眼窩５５Ｌの高さＨＬの下１／３の位置を示す線５６Ｌ、左目尻の点７０Ｌ、左眼窩５５Ｌの最上点５７Ｌを通る線６５Ｌ、および最下点５８Ｌを通る線６６Ｌがそれぞれ重ね合わせ画像１９上に表示された状態から、右眼窩５５Ｒの最上点５７Ｒおよび最下点５８Ｒが頭蓋骨画像１７上で指定され、右目尻の点７０Ｒが顔画像１８上で指定された場合は、図２７（Ａ）に示すように、重ね合わせ画像１９上には、さらに右眼窩５５Ｒの高さＨＲの下１／３の位置を示す線５６Ｒ、右目尻の点７０Ｒ、右眼窩５５Ｒの最上点５７Ｒを通る線６５Ｒ、および最下点５８Ｒを通る線６６Ｒが表示される。
【０１０９】
また、図２７（Ａ）に示す状態から、さらに右眉７２Ｒの外接矩形領域７３Ｒが顔画像１８上で指定された場合は、図２７（Ｂ）に示すように、重ね合わせ画像１９上には、さらに右眉７２Ｒの外接矩形領域７３Ｒの中心７４Ｒを通る線７７Ｒ、および右眉７２Ｒの外接矩形領域７３Ｒが表示される。
【０１１０】
このように、第１照合指標を示す第１図形および第２照合指標を示す第２図形を重ね合わせ画像１９上に表示するので、ユーザーは第１照合指標と第２照合指標を自らの頭の中に思い浮かべながら、頭蓋骨と顔の照合をする必要がなく、直観的に頭蓋骨と顔を照合することができる。このためユーザーは、ストレスを感じることなく、簡単に身元不明の人物と行方不明者が同一人物であるか否かの判定を済ませることができる。
【０１１１】
第１照合指標および第２照合指標が複数あり、これに伴い解剖学的知見も複数ある場合は、第１照合指標と第２照合指標を頭の中に思い浮かべながら、頭蓋骨と顔の照合をすることがより困難になるが、本発明のように第１照合指標を示す第１図形および第２照合指標を示す第２図形を重ね合わせ画像１９上に表示すれば、第１照合指標および第２照合指標が複数ある場合でも、身元不明の人物と行方不明者が同一人物であるか否かの判定が容易となる。
【０１１２】
設定された必要項目が揃った照合指標から順に抽出し、照合指標が抽出された段階で図形を表示するので、全必要項目の入力を待たずに直観的な頭蓋骨と顔の照合を行うことができる。また、頭蓋骨の一部が欠損していたり、顔画像１８の顔に一部映り込みがない部分があり、一部の必要項目の指定ができない状態であっても、指定可能な必要項目が設定された照合指標は抽出することができ、図形も表示することができる。
【０１１３】
第１必要項目に相当する頭蓋骨上の点を通る線、第２必要項目に相当する顔上の点、並びに第２必要項目に相当する顔上の領域を重ね合わせ画像１９上に表示するので、より身元不明の人物と行方不明者が同一人物であるか否かの判定が捗る。
【０１１４】
[第２実施形態]
図２８に示す第２実施形態において、画像処理サーバ１２のＣＰＵ３２Ａは、算出部１１０を備えている。この場合、抽出部４９は、第１照合指標および第２照合指標を、表示制御部５０に加えて算出部１１０に受け渡す。算出部１１０は、抽出部４９からの第１照合指標および第２照合指標と、ストレージデバイス３０Ａに記憶された一致度／照合指標テーブル１１１とに基づいて、頭蓋骨と顔の一致度合いを定量的に示す一致度を算出し、算出した一致度を表示制御部５０に受け渡す。なお、図２８では、各要求受付部４５〜４７および位置合わせ処理部４８の図示を省略している。
【０１１５】
図２９において、一致度／照合指標テーブル１１１には、複数の一致度と、複数の一致度の各々に設定され、その一致度の算出に必要な第１照合指標および第２照合指標とが登録されている。例えば一致度ＤＣ１には、第１照合指標として「左眼窩（５５Ｌ）の高さ（ＨＬ）の下１／３の位置（５６Ｌ）」が、第２照合指標として「左目尻の位置（７０Ｌ）」が登録されている。
【０１１６】
一致度／照合指標テーブル１１１には、一致度を算出する際の参照情報も登録されている。参照情報は、例えば図３０に示すグラフのような内容である。
【０１１７】
図３０は、一致度ＤＣ１の参照情報ＲＥＦ１の内容を示すグラフである。グラフは、一致度ＤＣ１を縦軸にとり、第１照合指標「左眼窩（５５Ｌ）の高さ（ＨＬ）の下１／３の位置（５６Ｌ）」と第２照合指標「左目尻の位置（７０Ｌ）」の垂直方向の距離を横軸にとったものである。一致度ＤＣ１の参照情報ＲＥＦ１は、位置５６Ｌと位置７０Ｌとの垂直方向の距離が０（位置５６Ｌと位置７０Ｌが一致）の場合に一致度が１００％に設定され、位置５６Ｌと位置７０Ｌとの垂直方向の距離が大きくなるにつれて一致度が減少し、位置５６Ｌと位置７０Ｌとの垂直方向の距離が一定値以上の場合は一致度が０％に設定された内容である。この場合、算出部１１０は、位置５６Ｌと位置７０Ｌとの垂直方向の距離を求め、求めた距離に応じた一致度を参照情報ＲＥＦ１から導出する。
【０１１８】
表示制御部５０は、例えば図３１に示す吹き出し１１５のように、算出部１１０からの一致度を、照合画面２０の第３表示領域９３の重ね合わせ画像１９上に表示する。このように一致度を算出してこれを表示するので、さらに身元不明の人物と行方不明者が同一人物であるか否かの判定が捗る。なお、一致度は、上記に例示した％表示に代えて、Ａ、Ｂ、Ｃ等の段階的なランクで表示してもよい。
【０１１９】
［第３実施形態］
図３２および図３３に示す第３実施形態では、上記第２実施形態において、第１照合指標または第２照合指標のうちの少なくともいずれかが抽出部４９で抽出された場合に、算出部１１０で、複数の一致度の各々について、設定された第１照合指標および第２照合指標が揃ったか否かを判断する。そして、複数の一致度のうち、設定された第１照合指標および第２照合指標が揃った一致度から順に算出する。
【０１２０】
より詳しくは、まず図３２に示すように、抽出部４９による第１照合指標および第２照合指標の抽出状況が、一致度ＤＣ１に設定された第１照合指標「左眼窩（５５Ｌ）の高さ（ＨＬ）の下１／３の位置（５６Ｌ）」、および一致度ＤＣ５に設定された第１照合指標「左眼窩（５５Ｌ）の最上点（５７Ｌ）」のみが抽出済み（「済」で示す）で、その他の照合指標は未だ抽出されていない（「未」で示す）場合を考える。この場合はいずれの一致度も設定された照合指標が揃っていないため、一致度は１つも抽出されておらず、また、重ね合わせ画像１９上には１つも一致度は表示されていない。
【０１２１】
図３３は、図３２に示す抽出状況から抽出部４９で第２照合指標「左目尻の位置（７０Ｌ）」が抽出された場合を示している。この場合、一致度ＤＣ１に設定された照合指標が揃ったので、算出部１１０は、一致度ＤＣ１を算出する。また、表示制御部５０は、一致度ＤＣ１を重ね合わせ画像１９上に表示する。
【０１２２】
このように、設定された照合指標が揃った一致度から順に算出し、一致度が算出された段階でこれを表示するので、全照合指標の抽出を待たずに一致度を表示することができる。また、頭蓋骨の一部が欠損していたり、顔画像１８の顔に一部映り込みがない部分があり、一部の照合指標の抽出ができない状態であっても、抽出可能な照合指標が設定された一致度は算出、表示することができる。
【０１２３】
なお、照合指標を周知の画像認識技術により自動的に抽出してもよい。必要項目も同様である。また、これとは逆に、頭蓋骨画像１７と顔画像１８の位置合わせをユーザーが手動で行ってもよい。この場合は位置合わせ処理部４８は不要である。
【０１２４】
上記第１実施形態では、第１必要項目として頭蓋骨上の点５７Ｌ〜６０Ｌ、５７Ｒ〜６０Ｒを例示したが、第１必要項目として頭蓋骨上の領域、例えば左右眼窩の輪郭領域を設定してもよい。第１必要項目を左右眼窩の輪郭領域とした場合は、第１照合指標を同じく左右眼窩の輪郭領域とし、第２必要項目および第２照合指標を左右の目の輪郭領域とする。そして、第１図形として左右眼窩の輪郭領域を縁取る線を、第２図形として左右の目の輪郭領域を縁取る線を表示する。また、この場合の解剖学的知見は、例えば、「左右の目の輪郭領域の９５％以上が左右眼窩の輪郭領域に含まれる」とする。
【０１２５】
なお、１つの照合指標に設定される必要項目は２つ以上であってもよい。また、照合指標および必要項目としては、上記第１実施形態で例示した頭蓋骨の眼窩と顔の目に関するものに限らない。例えば鼻に関するもの（鼻根点、鼻尖点、鼻下点、鼻翼点、鼻穴領域等）や、口およびその周辺に関するもの（口裂正中点、頤（おとがい）点等）、耳およびその周辺に関するもの（耳珠点、頬骨弓点等）を照合指標および必要項目としてもよい。
【０１２６】
上記第１実施形態では、設定された必要項目が揃った照合指標から順に抽出し、照合指標が抽出された段階で図形を表示しているが、全ての必要項目が揃ってから全照合指標の抽出を行い、全図形を一度に表示してもよい。
【０１２７】
上記第１実施形態では、重ね合わせ画像１９の元となる頭蓋骨画像１７と顔画像１８をクライアント端末１３から画像処理サーバ１２に送信しているが、クライアント端末１３から画像処理サーバ１２には頭蓋骨画像１７と顔画像１８の画像ＩＤのみを送信し、画像処理サーバ１２が、クライアント端末１３からの画像ＩＤの頭蓋骨画像１７と顔画像１８を画像サーバ１１から取得する構成としてもよい。
【０１２８】
上記第１実施形態では、まず重ね合わせ画像表示要求に応じて重ね合わせ画像１９が表示された照合画面２０を表示した後に、図形表示要求に応じて図形が表示された照合画面２０を表示しているが、図形表示要求に重ね合わせ画像表示要求を兼ねさせ、重ね合わせ画像１９と図形の表示を同じタイミングで行ってもよい。
【０１２９】
また、上記第１実施形態では、複数の解剖学的知見に関する照合指標を示す複数の図形を重ねて表示しているが、例えば照合画面２０に各図形の表示／非表示を切り替えるためのＧＵＩを設ける等して、複数の解剖学的知見に関する照合指標を示す複数の図形を各々個別に表示可能な構成としてもよい。こうすれば、注目する解剖学的知見に関する照合指標を示す図形以外を非表示とすることができ、１つの解剖学的知見に注力して照合を行いたい場合に好適である。
【０１３０】
なお、頭蓋骨画像１７、顔画像１８、重ね合わせ画像１９の表示形態としては、上記第１実施形態で例示した照合画面２０に限らない。これら各画像１７〜１９を別の画面で表示してもよい。また、図形を表示した重ね合わせ画像１９と、図形が非表示の重ね合わせ画像１９とを並列表示してもよい。さらに、一致度を照合画面２０とは別の画面で表示してもよい。
【０１３１】
本発明の画像処理装置に相当する画像処理サーバ１２を構成するコンピュータのハードウェア構成は種々の変形が可能である。例えば、画像処理サーバ１２を、処理能力や信頼性の向上を目的として、ハードウェアとして分離された複数台のサーバコンピュータで構成することも可能である。例えば、各要求受付部４５〜４７の機能と、位置合わせ処理部４８および抽出部４９の機能と、表示制御部５０および配信制御部５１の機能とを、３台のサーバコンピュータに分散して担わせる。この場合は３台のサーバコンピュータで画像処理装置を構成する。各要求受付部４５〜４７の機能を１つの受付部に統合して担わせてもよい。
【０１３２】
上記第１実施形態では、画像処理サーバ１２で照合画面２０を生成し、画像処理サーバ１２からの照合画面２０の画面データに基づいて、クライアント端末１３側で照合画面２０を再現してディスプレイ３４Ｂに表示する態様を例示したが、照合画面２０の生成の元となる重ね合わせ画像１９や図形等を画像処理サーバ１２からクライアント端末１３に送信し、クライアント端末１３側で照合画面２０を生成してもよい。この場合、表示制御部の機能はクライアント端末１３のＣＰＵ３２Ｂに構築される。
【０１３３】
さらに、画像処理サーバ１２のＣＰＵ３２Ａに構築した各機能部をクライアント端末１３のＣＰＵ３２Ｂに構築し、クライアント端末１３を画像処理装置として稼働させてもよい。この場合、各要求受付部４５〜４７は、入力デバイス３５Ｂから直接処理要求に関わる各種指示を受け付ける。
【０１３４】
さらにまた、頭蓋骨画像ＤＢ１５と顔画像ＤＢ１６を画像処理サーバ１２に設け、画像サーバ１１と画像処理サーバ１２を統合してもよい。
【０１３５】
このように、コンピュータのハードウェア構成は、処理能力、安全性、信頼性等の要求される性能に応じて適宜変更することができる。さらに、ハードウェアに限らず、作動プログラム４０等のアプリケーションプログラムについても、安全性や信頼性の確保を目的として、二重化したり、あるいは、複数のストレージデバイスに分散して格納することももちろん可能である。
【０１３６】
本発明は、上述の種々の実施形態や種々の変形例を適宜組み合わせることも可能である。また、上記各実施形態に限らず、本発明の要旨を逸脱しない限り種々の構成を採用し得ることはもちろんである。さらに、本発明は、プログラムに加えて、プログラムを記憶する記憶媒体にもおよぶ。
【符号の説明】
【０１３７】
１０  画像処理システム
１２  画像処理サーバ（画像処理装置）
１３  クライアント端末
１４  ネットワーク
１７  頭蓋骨画像
１８  顔画像
１９  重ね合わせ画像
２０  照合画面
３２、３２Ａ、３２Ｂ  ＣＰＵ
４０  作動プログラム
４５  第１要求受付部（画像受付部）
４６  第２要求受付部（第１指定受付部）
４７  第３要求受付部（第２指定受付部）
４９  抽出部
５０  表示制御部
５７Ｌ、５７Ｒ  両眼窩の最上点
５８Ｌ、５８Ｒ  両眼窩の最下点
５９Ｌ、５９Ｒ  両眼窩の最右点
６０Ｌ、６０Ｒ  両眼窩の最左点
５６Ｌ、５６Ｒ  両眼窩の高さの下１／３の位置を通る線（第１図形）
６５Ｌ、６５Ｒ  両眼窩の最上点を通る線（第１図形）
６６Ｌ、６６Ｒ  両眼窩の最下点を通る線
６７Ｌ、６７Ｒ、６８Ｌ、６８Ｒ  両眼窩の幅の３／４の長さを示す線（第１図形）
７０Ｌ、７０Ｒ  両目尻の点（第２図形）
７３Ｌ、７３Ｒ  左右眉の外接矩形領域
７５Ｌ、７５Ｒ、７６Ｌ、７６Ｒ  左目尻と左目頭の距離および右目尻と右目頭の距離を示す線（第２図形）
７７Ｌ、７７Ｒ  左右眉の外接矩形領域の中心を通る線（第２図形）
１１０  算出部
１１５  吹き出し
【図１】
2017068560.tif 000003
【図２】
2017068560.tif 000004
【図３】
2017068560.tif 000005
【図４】
2017068560.tif 000006
【図５】
2017068560.tif 000007
【図６】
2017068560.tif 000008
【図７】
2017068560.tif 000009
【図８】
2017068560.tif 000010
【図９】
2017068560.tif 000011
【図１０】
2017068560.tif 000012
【図１１】
2017068560.tif 000013
【図１２】
2017068560.tif 000014
【図１３】
2017068560.tif 000015
【図１４】
2017068560.tif 000016
【図１５】
2017068560.tif 000017
【図１６】
2017068560.tif 000018
【図１７】
2017068560.tif 000019
【図１８】
2017068560.tif 000020
【図１９】
2017068560.tif 000021
【図２０】
2017068560.tif 000022
【図２１】
2017068560.tif 000023
【図２２】
2017068560.tif 000024
【図２３】
2017068560.tif 000025
【図２４】
2017068560.tif 000026
【図２５】
2017068560.tif 000027
【図２６】
2017068560.tif 000028
【図２７】
2017068560.tif 000029
【図２８】
2017068560.tif 000030
【図２９】
2017068560.tif 000031
【図３０】
2017068560.tif 000032
【図３１】
2017068560.tif 000033
【図３２】
2017068560.tif 000034
【図３３】
2017068560.tif 000035